(57)【要約】      （修正有）【課題】電源を利用した灯明と渦巻状線香を同一容器内で利用でき、渦巻状線香の補充が容易でかつ安全性並びに美観にも優れた灯明付渦巻状線香立を提供する。【解決手段】渦巻状線香の燃焼部の熱吸収を防止する断熱部１４を設けた線香受け皿５の中心部上に、上端部に灯明部２を有した円錐状の線香受け部３と、ソケット部４下面側から主パイプ１０内を通して線香受け皿脚部内まで貫通せしめた電気配線を設けた。【選択図】図１
2005319253.tif 000002
【特許請求の範囲】
【請求項１】
渦巻状線香の燃焼部の熱吸収を防止する断熱部を設けた線香受け皿の中心部上に、上端部に灯明部を有した円錐状の線香受け部を設けたソケット部と、該円錐状の線香受け部を設けたソケット部下面側から主パイプ内を通して線香受け皿脚部内まで貫通せしめた電気配線を設けたことを特長とする灯明付渦巻状線香立。
【発明の詳細な説明】
【発明の詳細な説明】
【技術分野】
【０００１】  本発明は灯明付渦巻状線香立に関する。
【背景技術】
【０００２】  宗教上の理由等により、葬儀から４９日間は昼夜を問わずに連続して、灯明と香煙を絶やしてはいけないとされ、昔から出来得る限り長時間点灯を持続する灯明として、太くて長いロ−ソクは勿論、より太くて短い桶状のロ−ソクをコップ又は花形の容器内で用いたり、菜種油等に灯芯を浮かべる方式、あるいはロ−ソク型の電気式灯明等と、ほぼ１２時間燃焼を持続する細長い線香を渦巻状に形成した渦巻状線香と称される線香を夫夫独立させて使用されてきた。
【発明が解決しようとする課題】
【０００３】  本発明は上記実情を鑑み、電源を利用した灯明と渦巻状線香を同一容器内で利用出来るように創案されたものであって、特に安全性を重要視し、灯明部の電圧を１．５〜１０数ボルト程度の電池又はアダプタ−等の低電圧電源を利用し、電池の交換も簡単且容易に取り替え得ると共に、渦巻状線香を少なくとも８〜１２時間以上の燃焼を持続せしめ得ると共に、渦巻状線香の補充が容易で、特に安全性並びに美観にも優れ、価格も比較的低廉且便利に利用出来る灯明付渦巻状線香立を提供することを目的とする。
【課題を解決するための手段と作用】
【０００４】  本発明灯明付渦巻状線香立１は、上端部に１．５〜１０数ボルトの灯明部２を有した円錐状の線香受け部３を設けた移動電線付ソケット部４を、脚部６と渦巻状線香の燃焼部の熱吸収を防止する断熱部１４を設けた線香受け皿５の中心部に設けた穴部７の下面側から、中心部にコ−ド穴９を有した鍔付雄ネジ部８を突出させ、上面側から主パイプ１０に設けた雌ネジ部１１を介して嵌合止着せしめた該主パイプ１０内に、該移動電線付ソケット部４から主パイプ１０内を通して線香受け皿５の脚部６内まで配線された移動電線１６のゆるみ部を利用して、配線されたままで、着脱自在に嵌合装着出来ると共に、渦巻状線香１２の中心部から灯明部２が突出せしめ得る様に設けられた穴部１３を介して、点火中の該渦巻状線香１２を該円錐状の線香受け部３上に合わせ置くだけで、通常は該渦巻状線香１２の中心側上端部近傍から下方に向かってゆるい釣鐘状を形成しながら燃焼を維持するが、該渦巻状線香１２の燃焼部周辺の温度条件、あるいは空気中の湿気等による異常な垂れ下がり等によって該燃焼部の線香受け皿５への接触面からの熱吸収を防止せしめ得る断熱部１４が設けられて、途中で火が消えることなく、円錐状の線香受け部３迄燃え続け得た渦巻状線香１２を、強制的に、該円錐状の線香受け部３からの熱吸収を受ける渦巻状線香１２の中心部１輪を消し残すことによって、“火”のついたまま極度に軽量化した渦巻状線香１２が、扇風機あるいは窓越しの強風等に吹き飛ばされない様に工夫されたもので、安全性をより高め得て、昼夜を問わずに渦巻状線香を１日２枚、４９日間で合計９８枚を安全且確実に安心して利用出来ることを特長とする灯明付渦巻状線香立を提供することを目的とする。
【発明の実施例１】
【０００５】  以下本発明の実施例１を図面に基づいて説明する。図１は、本発明の実施形態に係る灯明付渦巻状線香立１の断面図を示し、脚部６を有した線香受け皿６の中心部に設けた穴部７の下面側から、中心部にコ−ド穴部９を有した鍔付雄ネジ８を突出させ、上面側から主パイプ１０の雌ネジ部１１を介して嵌合止着せしめると共に、上端部に灯明部２を有した円錐状の線香受け部３を設けた移動電線付ソケット部４から、該主パイプ１０を通して線香受け皿５の脚部６内まで配線された移動電線１６のゆるみ部を利用して、配線されたままで該主パイプ１０の上部内側に着脱自在に装着できる様に構成され、該移動電線付ソケット部４の移動電線１６は鍔付雄ネジ部８の中心部に設けたコ−ド穴９を貫通して脚部６内に設けた電池ボックス１５に接続されている。電池ボックス１５は上記鍔付雄ネジ８に固定された弾性力を有した抱片２２内に収められている実施例で、本品は４９日間以降は不要物となって処分されるものである為に特にスイッチ部は設けていない。
以上の様に形成された本発明の実施例１の灯明付渦巻状線香立１を使用するには、上記の様に組立てた状態で、渦巻状線香１２の中心部から灯明部２が突出せしめ得る様に設けられた穴部１３を介して、点火中の渦巻状線香１２を該円錐状の線香受け部３上に合わせ置くだけで良い。灯明部２の点灯時間は電池の容量によって異なるために、灯明部が消える度に電池ボックス１５内の電池の交換が必要である。
なお、本実施例では灯明部２の電源を電池としたが、１００ボルト電源からアダプタ−１７を介して利用したときは電源の交換は不要である。
【発明の実施例２】
【０００６】  図４は本発明実施例１に示した断熱部１４の他の変形例を使用したもので、金属板を、中心部に芯穴１９を有し両端部にほぼ木の葉又は花びら状をなす左右対称形となる様に打ち抜き造形せしめ得ると共に、断熱効果及び美観を得るために花びら形の断熱板２０、２０を圧接挟持せしめた垂下防止断熱部１８を得、その２組の垂下防止断熱部１８をプラス字状に組み合わせた垂下防止断熱部２１を示したもので、花びら形の断熱板２０あるいは垂下防止断熱部１８の形状を任意に変形させて、断熱効果あるいは美観あるいは荘厳性等を計り得る等、あるいは図５の２点鎖線にて示した花びら形の断熱板２０、２０、２０、２０角度を上下左右斜め方向へと任意に折曲変形出来るもので、湿気の高い時又は各種渦巻状線香の特性あるいは美観等に対応し得る変形例の垂下防止断熱部を示したものである。
なお、本実施例２では灯明部２の電源を１００Ｖコンセントから移動電線を利用したアダプタ−１７を利用して、４９日間常に明るく、安定した電力供給出来各種変形利用出来る方式を示したものである。
【発明の実施例３】
【０００７】  図８は、本発明の実施例２に示した線香受け皿５上に設けた垂下防止断熱部２１位置を高くして、美観あるいは機能面等の有用性を得るために、雄ネジ部２５および取付雌ネジ部２６を有した補助パイプ２４を設けた変形例で、所期する目的に合わせて各種任意にその有用性を補増出来ることを示したものである。
【発明の効果】
【０００８】  以上の様に、本発明の灯明付渦巻状線香立は、宗教用具としての荘厳性を守りながら、火災の原因ともなる“火”を、昼夜を問わずに４９日間もの長時間に亘って使用する用具として、特に安全性という観点を重要視したもので、従来から実施されている形式から逸脱した新しい形式で、簡単且便利に利用出来、しかも渦巻状線香の中心部１輪を円錐状の線香受け部との接触面からの熱吸収によって消え残し得る灯明付渦巻状線香立に係るものである。
図６は本発明実施例１の底面部からの斜視図、図７は本発明実施例２の上面部からの斜視図を示したもので、いずれも移動電線付ソケット部４から脚部６内まで配された移動電線１６のゆるみ部を利用して、簡単かつ便利に収納出来るなど各種任意に変形出来、その有用性をより増大せしめ得ることを示したものである。
【図面の簡単な説明】
【図１】本発明実施例１の一部分解斜視図の断面図
【図２】渦巻状線香１２の未使用の平面図
【図３】本発明に使用した渦巻状線香１２の消し残し部の平面図
【図４】本発明実施例２の分解斜視図
【図５】垂下防止断熱部２１の斜視図
【図６】本発明実施例１の１部分解斜視図
【図７】本発明実施例２の１部分解斜視図
【図８】本発明実施例３の分解斜視図
【符号の説明】
１  灯明付渦巻状線香立
２  灯明部
３  円錐状の線香受け部
４  移動電線付ソケット部
５  線香受け皿
６  脚部
７  穴部
８  鍔付雄ネジ部
９  コ−ド穴
１０主パイプ
１１雌ネジ部
１２渦巻状線香
１３穴部
１４断熱部
１５電池ボックス
１６移動電線
１７アダプタ−
１８垂下防止断熱部
１９芯穴
２０花びら形の断熱板
２１垂下防止断熱部
２２抱片
２３電池
２４補助パイプ
２５雄ネジ部
２６取付雌ネジ部
【図１】
2005319253.tif 000003
【図５】
2005319253.tif 000004
【図２】
2005319253.tif 000005
【図３】
2005319253.tif 000006
【図４】
2005319253.tif 000007
【図６】
2005319253.tif 000008
【図７】
2005319253.tif 000009
【図８】
2005319253.tif 000010